(57)【要約】      （修正有）【課題】水道、ホース、ジョーロ等に接続して使用する散水器具において、散水口の目詰まりを解消し、掃除にかかる労力や時間を減少させた反転式散水口を備えた散水口器具を提供する。【解決手段】散水口本体１に、散水口パネル接続口４Ａに取り付け可能な、散水口パネル接続口受口を設け、散水口パネル５Ａを取り付け、又は、反転取り付け３Ａすることによって、水流による掃除機能も利用しながら、散水口の目詰まり解消掃除を、迅速短時間にでき、労力を大幅に軽減できる反転取り付け使用可能な反転式散水口を備えた散水口器具である。【選択図】図３
0003148784.tif 000002
【実用新案登録請求の範囲】
【請求項１】
ホース、水道、ジョーロ等の、散水口器具で散水口器具の構造が、散水口パネル接続口、反転接続口に接続できる散水口パネル接続口受口を設け、これに両面に接続口を持った散水口パネルを簡易に接続して使用する。接続使用する散水口パネルは、１、片面は主に水流による目詰まり掃除機能のある反転接続面と散水機能の有る接続面を持つ片面式散水口パネル。２、散水口パネルの使用中使用後散水口パネルを、反転接続する毎に表面、裏面、水の噴出角度が同じ角度で、目詰まり掃除機能、散水機能のある両面式散水口パネルである。便宜上図面では、接続方式は、ネジ接合方式、散水口パネル形状は、円形としているが、散水口パネルの接続、接合方式、散水口パネルの形状にこだわらず、散水口パネルを反転接続することによって、散水口パネル目詰まり掃除面、内部面を、目詰まり掃除が容易な外部面にすることができ、併せて散水口パネルを通過する水流を利用した目詰まり掃除機能特性を持った反転式散水口。
【考案の詳細な説明】
【技術分野】
【０００１】  本考案は、水道、ホース、ジョーロの先に接続して使用される散水器具で、塵、異物による、散水口の目詰まりを解消するため、掃除にかかる労力を容易に、時間を短縮するための反転式の散水口に関するものである。
【背景技術】
【０００２】  従来の水道、ホース、ジョーロなどに使用される散水口は、一旦目詰まりを起こすと、目詰まりを起こした塵、異物が、掃除しても散水口パネル内面に残り、再度目詰まりを起こし、掃除が困難で多くの時間を必要とした。
【考案が解決しようとする課題】
【０００３】  散水口パネルの内側の面の塵、異物の掃除は、取り外し、反転取り付け使用出来ない散水口パネルにあっては、外部より掃除しても散水口パネル内側に残り、掃除に多くの労力と時間を必要とした。したがって、散水口パネルを反転取り付け使用可能にすることにより、目詰まりを起こす散水時の水の方向の逆向きの水の圧力で散水口の掃除機能を得ることが出来又、塵、異物がある散水口パネル内面が、反転取り付け時は外面となるため、散水口目詰まり解消の、掃除が、短時間、容易に解消される。
【課題を解決するための手段】
【０００４】  本考案は、水道、ホース、ジョーロ等の散水口器具に、散水口パネル接続工受け口を設け、それに接続される両側に散水口接続口を持つ反転接続使用可能な散水口パネルを有する散水口であり、散水口パネルを反転取り付けることにより、掃除が、容易で目詰まり解消が、短時間で出来る。
【考案の効果】
【０００５】  上述の様に、本考案の反転式散水口は、片面式散水口にあっては、散水口パネル内面の目詰まりの原因となる、異物、塵を簡単に除去出来る他、散水口パネル反転取り付け時水を出すことによって、水圧で散水穴の掃除も可能となり掃除にかかる労力時間を大幅に軽減でき、又、両面式散水口パネルでは、水の噴出角度が散水口パネル反転取り付け時も変らぬので、散水口パネル反転取り付けのみで、散水に使用できる。
【考案の実施するための最良の形態】
【０００６】  片面式の散水口パネル装着散水口は、散水口パネル内側面に付着し目詰まりの原因となっている塵、異物が、再び水に混入しないように、１、微量の水を出しながら、２片面式散水口パネル本体の、５Ａ散水口パネル接続口ネジを、４Ａ散水口パネル接続口受口ネジより取り外す。２、２片面式散水口パネル本体の、３Ａ散水口パネル反転接続口ネジを、４Ａ散水口パネル接続口受口ネジに取り付ける。３、少量の水を出し、散水口パネルを反転取り付け前、散水使用中付着した散水口パネル面の塵、異物を散水口パネルを通過する水にて目詰まり解消掃除する。４、３Ａ散水口パネル反転接続口ネジを取り外し、５Ａ散水口パネル接続口ネジを４Ａネジに接続して、散水する。両面式の散水口パネル装着散水口は、１、微量の水を出しながら、４Ａ散水口パネル接続口受口ネジより、５Ａ散水口パネル接続口ネジを取り外し、４Ａ散水口パネル接続口受口ネジに、３Ａ散水口パネル反転接続口ネジを接続する。２、水を出し、散水口パネルを通過する水流によって洗浄掃除後散水する。３、散水口パネルの目詰まり毎に、散水口パネルの反転取り付けのみで、水を出すと、掃除機能と散水機能が得られ、また掃除も容易になる。
【実施例】
【０００７】  以下、添付図面に従って一実例を説明する。１は散水口パネル接続受口本体。２は片面式散水口パネル本体。３は両面式散水口パネル本体。４は送水菅部分。１Ａは散水口。２Ａは散水口パネル。３Ａは散水口パネル反転接続口ネジ。４Ａは散水口パネル接続口受口ネジ。５Ａは散水口パネル接続口ネジで、通常片面式反転散水口使用時は、散水口が目詰まりを起こし使用困難の場合は、（［図３］散水口パネル接続断面図より）微量の水を出しながら、４Ａ散水口パネル接続口受口ネジに接続されている２片面式散水口パネル本体の接合部分ネジ５Ａ散水口パネル接続口ネジを取り外し、４Ａに、２片面式散水口パネル本体の接合部分ネジ３Ａ散水口パネル反転接続口ネジを取り付ける。その上で、目詰まりを起こした塵、異物を洗い流すために少量の水を流し掃除後４Ａに、２片面式散水口パネル本体の接合部分ネジ５Ａ散水口パネル接続口ネジを取り付けて使用する。【０００８】  両面式の散水口で通常使用時目詰まりを起こした散水口は、４Ａ散水口パネル接続口受口ネジに取り付けられている３両面式散水口パネル本体の５Ａ散水口パネル接続口ネジを微量の水を出しながら取り外し、４Ａ散水口パネル接続口受口ネジに、３両面式散水口パネル本体の５Ａ散水口パネル反転接続口ネジを取り付けて、水の噴出角度が同じなので、そのままの接合で、両面式の反転式散水口を使用する。
【図面の簡単な説明】
【０００９】
【図１】片面式散水口パネル取り付け平面図
【図２】片面式散水口パネル取り付け側面図
【図３】片面識散水口パネル取り付けイ−イ断面図
【図４】片面式散水口パネル平面図
【図５】片面式散水口パネル側面図
【図６】片面式散水口パネルロ−ロ断面図
【図７】両面式散水口パネル平面図
【図８】両面式散水口パネル側面図
【図９】両面式散水口パネルハ−ハ断面図
【符号の説明】
【００１０】  １、  散水口パネル受口本体
２、  片面式散水口パネル本体
３、  両面式散水口パネル本体
４、  送水菅
１Ａ、散水口
２Ａ、散水口パネル
３Ａ、散水口パネル反転接続口ネジ
４Ａ、散水口パネル接続口受口ネジ
５Ａ、散水口パネル接続口ネジ
【図１】
0003148784.tif 000003
【図２】
0003148784.tif 000004
【図３】
0003148784.tif 000005
【図４】
0003148784.tif 000006
【図５】
0003148784.tif 000007
【図６】
0003148784.tif 000008
【図７】
0003148784.tif 000009
【図８】
0003148784.tif 000010
【図９】
0003148784.tif 000011
【手続補正書】
【提出日】平成20年9月5日(2008.9.5)
【手続補正１】
【補正対象書類名】実用新案登録請求の範囲
【補正対象項目名】全文
【補正方法】変更
【補正の内容】
【実用新案登録請求の範囲】
【請求項１】
散水口の一部分で、水の吹き出る穴のある散水口パネル部分が反転取り付け使用可能な散水口。以上からなる反転式散水口。
【手続補正書】
【提出日】平成20年11月14日(2008.11.14)
【手続補正１】
【補正対象書類名】実用新案登録請求の範囲
【補正対象項目名】全文
【補正方法】変更
【補正の内容】
【実用新案登録請求の範囲】
【請求項１】
ホース、水道、ジョーロ等に使用する散水口器具で、散水口本体に、散水口パネル接続口が取り付け可能な散水口パネル接続口受口を設け、この散水口パネル接続口受口に、水の吹き出る散水口パネルの内部側面及び外部側面両側に散水口パネル接続口受口に取り付け可能な散水口パネル接続口を設けた散水口パネルを、必要に応じて散水口パネル内部側面、外部側面を、交互に取り付け使用する反転式散水口を備える散水口器具。